(57)【要約】  【課題】  簡単な構成で、ミスクランプを防止することが可能なディスククランプ装置を提供する。  【解決手段】  クランパー４の下面中心部に位置しターンテーブルと嵌合する嵌合凹部４ａの内周テーパ面４ｂに、全周に渡ってリブ４ｃを設けている。リブ４ｃは、内周テーパ面４ｂより下方に円筒状に延びており、クランパー４の回転中心周りに、嵌合凹部４ａ及び内周テーパ面４ｂと同心円状に設けられている。ディスククランプ時には、クランパー４に設けたリブ４ｃとターンテーブルに設けた溝が、ディスクの中心孔を貫通しつつ嵌合する構成となっており、ディスクが位置ずれを起こしていると、そのディスクにより溝とリブの嵌合が阻止され、クランプできない状態となるので、確実にミスクランプが防止される。この効果は、大径及び小径のどちらのディスクに対しても同等に発揮される。【選択図】      図１
2006331529.tif 000002
【特許請求の範囲】
【請求項１】
ディスクをクランパーとターンテーブルとの間でクランプするディスククランプ装置に
おいて、
前記クランパーに設けたリブと前記ターンテーブルに設けた溝とが、前記ディスクの中
心孔を貫通しつつ嵌合するようにしてなり、
前記クランパーの下面中心部に位置し前記ターンテーブルと嵌合する嵌合凹部の内周テ
ーパ面に、全周に渡って前記リブを設け、前記ターンテーブルの上面中心部に位置し前記
クランパーと嵌合する嵌合凸部の外周テーパ面に、全周に渡って前記溝を設け、
前記リブは、前記内周テーパ面より下方に円筒状に延び、前記クランパーの回転中心周
りに、前記嵌合凹部及び前記内周テーパ面と同心円状に設けられており、前記溝は、前記
外周テーパ面から前記嵌合凸部内部に円筒状に彫り込まれ、前記ターンテーブルの回転中
心周りに、前記嵌合凸部及び前記外周テーパ面と同心状に設けられており、
前記ターンテーブルの前記嵌合凸部の前記溝より内側の部分を上方に延長し、前記外周
テーパ面よりも勾配の緩やかな別の外周テーパ面を設けたことを特徴とするディスククラ
ンプ装置。
【請求項２】
ディスクをクランパーとターンテーブルとの間でクランプするディスククランプ装置に
おいて、
前記クランパーに設けたリブと前記ターンテーブルに設けた溝とが、前記ディスクの中
心孔を貫通しつつ嵌合するようにしてなることを特徴とするディスククランプ装置。
【請求項３】
前記クランパーの下面中心部に位置し前記ターンテーブルと嵌合する嵌合凹部の内周テ
ーパ面に、全周に渡って前記リブを設け、前記ターンテーブルの上面中心部に位置し前記
クランパーと嵌合する嵌合凸部の外周テーパ面に、全周に渡って前記溝を設けたことを特
徴とする請求項２に記載のディスククランプ装置。
【請求項４】
前記リブは、前記内周テーパ面より下方に円筒状に延び、前記クランパーの回転中心周
りに、前記嵌合凹部及び前記内周テーパ面と同心円状に設けられており、前記溝は、前記
外周テーパ面から前記嵌合凸部内部に円筒状に彫り込まれ、前記ターンテーブルの回転中
心周りに、前記嵌合凸部及び前記外周テーパ面と同心状に設けられていることを特徴とす
る請求項３に記載のディスククランプ装置。
【発明の詳細な説明】
【技術分野】
【０００１】
本発明は、ＣＤやＤＶＤ等のディスクをターンテーブルにクランプする際の、ミスクラ
ンプを防止する手段を備えたディスククランプ装置に関するものである。
【背景技術】
【０００２】
従来より、このようなディスクをディスクドライブのターンテーブルにクランプする際
には、例えばディスクをトレイに載置して、これをターンテーブル位置まで引き込み、デ
ィスクの中心孔をターンテーブルの凸部に嵌合させて、クランパーで挟み込んで固定する
といった方法が採られている。
【０００３】
図５は、従来のディスククランプ装置において、ディスクが正常にクランプされた状態
を示す図であり、正面図で表している。同図に示すように、正常なクランプ状態では、ス
ピンドルモーター１により回転可能なターンテーブル２の、上面中心部に設けられたテー
パ状の嵌合凸部２ａに、ディスク３の中心孔３ａが嵌合する。そして、その上側からクラ
ンパー４で挟み込むことにより、ディスク３がターンテーブル２に固定される。この状態
では、ターンテーブル２の上面にディスク３が密接しているので、ディスク３の正常な回
転及び再生が可能となっている。
【０００４】
その他、ディスク装置において回転駆動中心とディスクの記録トラックの中心を合わせ
る調芯作用を安価に、かつ高い安定性を持って行えるディスク保持部を有するとしたディ
スク状記録媒体回転装置が、特許文献１に開示されている。これは、ディスク装置におい
て回転駆動中心とディスクの記録トラックの中心を合わせる調芯作用を、摺動動作に頼ら
ず可撓部の動作により行う構成としている。
【特許文献１】特開平９−１９８７５７号公報
【発明の開示】
【発明が解決しようとする課題】
【０００５】
しかしながら、ディスクをターンテーブルにクランプしようとする際、図示しないトレ
イにディスクを載置するときやトレイ引き込み中に、トレイ上でのディスク位置にズレが
生じることにより、ディスクがトレイに正しく載置されていない場合がある。この場合、
ディスクが挿入されてもディスクの中心孔がターンテーブルに正確に嵌合されず、ディス
クがターンテーブルに対して若干ずれた状態で、クランパーとの間で挟み込まれる、いわ
ゆるミスクランプが生じることがある。
【０００６】
図６は、従来のディスククランプ装置において、ディスクがミスクランプされた状態を
示す図であり、同図（ａ）は正面図、同図（ｂ）は下面図である。ミスクランプされた状
態では、同図に示すように、ディスク３の中心孔３ａの周縁部がターンテーブル２の嵌合
凸部２ａに乗り上げたまま、ターンテーブル２とクランパー４との間にディスク３が挟み
込まれている。
【０００７】
この状態で、そのままターンテーブル２ひいてはディスク３が回転してしまうと、ディ
スク３がターンテーブル２やトレイ、更には図示しないピックアップと擦れ合って、ディ
スク３に傷が付いてしまう。加えてピックアップが傷んでしまう場合もあり、ディスクド
ライブの故障の原因にもなりかねない。
【０００８】
このようなミスクランプを防止するため、従来より、トレイにディスク載置用凹部や案
内リブ等を設けることにより、ディスクがずれても規定位置に戻りやすいようにしている
が、特に直径８ｃｍの小径ディスクについては、直径１２ｃｍの大径ディスクとの兼ね合
いにより、前記のような嵌合凹部や案内リブ等を設ける上で制約が多く、対策が不十分と
なっている。
【０００９】
また、ディスクドライブを回動駆動するいわゆるトラバースメカの駆動電圧、言い換え
ればクランプ電圧を低くして、ターンテーブルを上昇させる力を抑え、無理なクランプが
行われ難いようにし、ミスクランプを防止することも考えられるが、これも対策としては
不十分である。
【００１０】
その他、上記特許文献１に記載のような構成は、ディスクの調芯動作を安定させようと
するものに過ぎず、ミスクランプを防止しようとするものではない。本発明は、以上のよ
うな問題点に鑑み、簡単な構成で、ミスクランプを防止することが可能なディスククラン
プ装置を提供することを目的とする。
【課題を解決するための手段】
【００１１】
上記目的を達成するために、本発明では、ディスクをクランパーとターンテーブルとの
間でクランプするディスククランプ装置において、前記クランパーに設けたリブと前記タ
ーンテーブルに設けた溝とが、前記ディスクの中心孔を貫通しつつ嵌合するようにしてな
ることを特徴とする。
【００１２】
また、前記クランパーの下面中心部に位置し前記ターンテーブルと嵌合する嵌合凹部の
内周テーパ面に、全周に渡って前記リブを設け、前記ターンテーブルの上面中心部に位置
し前記クランパーと嵌合する嵌合凸部の外周テーパ面に、全周に渡って前記溝を設けたこ
とを特徴とする。
【００１３】
さらに、前記リブは、前記内周テーパ面より下方に円筒状に延び、前記クランパーの回
転中心周りに、前記嵌合凹部及び前記内周テーパ面と同心円状に設けられており、前記溝
は、前記外周テーパ面から前記嵌合凸部内部に円筒状に彫り込まれ、前記ターンテーブル
の回転中心周りに、前記嵌合凸部及び前記外周テーパ面と同心状に設けられていることを
特徴とする。
【発明の効果】
【００１４】
本発明によれば、簡単な構成で、ミスクランプを防止することが可能なディスククラン
プ装置を提供することができる。
【００１５】
具体的には、ターンテーブルに設けた溝とクランパーに設けたリブが、ディスクの中心
孔を貫通しつつ嵌合する構成となっており、ディスクが位置ずれを起こしていると、その
ディスクにより溝とリブの嵌合が阻止され、クランプできない状態となるので、確実にミ
スクランプが防止される。
【発明を実施するための最良の形態】
【００１６】
以下、本発明の実施の形態について、図面を参照しながら説明する。なお、上記従来の
技術と同様の機能を有する部分には同一の符号を付して、詳細な説明を適宜省略する。
【実施例１】
【００１７】
図１は、本発明のディスククランプ装置の実施例１に係るクランパーを示す図であり、
同図（ａ）は正面半断面図、同図（ｂ）は下面図である。また、図２は、同じく本発明の
ディスククランプ装置の実施例１に係るターンテーブルを示す図であり、同図（ａ）は平
面図、同図（ｂ）は正面半断面図である。
【００１８】
本実施例では、図１に示すように、クランパー４の下面中心部に位置しターンテーブル
２と嵌合する嵌合凹部４ａの内周テーパ面４ｂに、全周に渡ってリブ４ｃを設けた構成と
している。リブ４ｃは、内周テーパ面４ｂより下方に円筒状に延びており、クランパー４
の回転中心周りに、嵌合凹部４ａ及び内周テーパ面４ｂと同心円状に設けられている。
【００１９】
一方、図２に示すように、ターンテーブル２の上面中心部に位置しクランパー４と嵌合
する嵌合凸部２ａの外周テーパ面２ｂに、全周に渡って溝２ｃを設けた構成としている。
溝２ｃは、外周テーパ面２ｂから嵌合凸部２ａ内部に円筒状に彫り込まれており、ターン
テーブル２の回転中心周りに、嵌合凸部２ａ及び外周テーパ面２ｂと同心状に設けられて
いる。但し、クランパー４及びターンテーブル２それぞれについて、樹脂成型にて量産す
る場合は金型における凹凸の関係が全て逆となる。
【００２０】
なお、１ａはスピンドルモーター１の回転軸であって、これはターンテーブル２の中心
に嵌合固定しており、この回転軸１ａが回転することにより、ターンテーブル２も一体で
回転する仕組みである。さて、ディスククランプ時には、クランパー４の嵌合凹部４ａと
ターンテーブル２の嵌合凸部２ａが嵌合するとともに、リブ４ｃと溝２ｃが嵌合する。こ
こで、溝２ｃの幅はリブ４ｃの幅より若干大きめの寸法となっている。このとき、嵌合し
たリブ４ｃと溝２ｃは、クランプされた上記ディスク３の中心孔３ａを貫通するようにな
っている。
【００２１】
図３は、ディスククランプ時における要部の位置関係を示す図であり、同図（ａ）は正
常時、同図（ｂ）は位置ずれ時をそれぞれ下面図で示している。まず、上記ディスク３が
ターンテーブル２に正常に載置され、中心孔３ａが嵌合凸部２ａと嵌合しているときは、
同図（ａ）に示すように、中心孔３ａにクランパー４のリブ４ｃが貫通するので、この状
態ではリブ４ｃがターンテーブル２の溝２ｃと嵌合し、ディスク３はターンテーブル２と
クランパー４により正常にクランプされる。
【００２２】
一方、ディスク３がターンテーブル２に対し位置ずれして載置されているときは、例え
ばディスク３の中心孔３ａの周縁部がターンテーブル２の嵌合凸部２ａに乗り上げた状態
となっており、同図（ｂ）に示すように、クランパー４のリブ４ｃの一部が斜線で示すよ
うにディスク３の上面に接触する。この状態でリブ４ｃがターンテーブル２の溝２ｃと嵌
合しようとしても、ディスク３に阻まれ、ディスク３はクランプされない。
【００２３】
このとき、上記トラバースメカがターンテーブル２を突き上げようとしても、クランパ
ー４の上部が図示しないその取付部につかえてしまうので、ディスクドライブはそれ以上
回動し上昇することができなくなる。この状態で、例えばトラバースメカを駆動する図示
しないモーターに加わる負荷を電気的に検出することにより、ディスク３が正常にクラン
プされていないことを判定することができる。
【００２４】
この場合、ディスクのアンローディング動作が行われるようにプロファイルを組んでお
けば、ディスクドライブがトラバースメカにより回動，下降した後、ディスク３がトレイ
により排出され、ユーザーがディスク３をトレイの正しい位置に置き直すことができる。
なお、トラバースメカの負荷状態を電気的に検出する代わりに、ディスクドライブの位置
をセンサやリミットスイッチ等で検出する等の方法を用いても良い。
【００２５】
図４は、本実施例に係るターンテーブルの変形例を示す図であり、正面半断面図で表す
ものである。本例では同図に示すように、ターンテーブル２の嵌合凸部２ａの溝２ｃより
内側の部分を上方に延長し（斑点で示す）、上記外周テーパ面２ｂよりも勾配の緩やかな
外周テーパ面２ｄを設けた構成としている。この外周テーパ面２ｄによりクランパー４の
リブ４ｃが案内され、溝２ｃに入り込みやすくなる。
【００２６】
以上説明したように、本発明では、ターンテーブルに設けた溝とクランパーに設けたリ
ブが、ディスクの中心孔を貫通しつつ嵌合する構成となっており、ディスクが位置ずれを
起こしていると、そのディスクにより溝とリブの嵌合が阻止され、クランプできない状態
となるので、確実にミスクランプが防止される。この効果は、大径及び小径のどちらのデ
ィスクに対しても同等に発揮される。
【図面の簡単な説明】
【００２７】
【図１】本発明のディスククランプ装置の実施例１に係るクランパーを示す図。
【図２】本発明のディスククランプ装置の実施例１に係るターンテーブルを示す図。
【図３】ディスククランプ時における要部の位置関係を示す図。
【図４】本実施例に係るターンテーブルの変形例を示す図。
【図５】ディスクが正常にクランプされた状態を示す図。
【図６】ディスクがミスクランプされた状態を示す図。
【符号の説明】
【００２８】
１    スピンドルモーター
１ａ    回転軸
２    ターンテーブル
２ａ    嵌合凸部
２ｂ    外周テーパ面
２ｃ    溝
３    ディスク
３ａ    中心孔
４    クランパー
４ａ    嵌合凹部
４ｂ    内周テーパ面
４ｃ    リブ
【図１】
2006331529.tif 000003
【図２】
2006331529.tif 000004
【図３】
2006331529.tif 000005
【図４】
2006331529.tif 000006
【図５】
2006331529.tif 000007
【図６】
2006331529.tif 000008